(57)【要約】【課題】人工海岸(臨海堤等)や法面等の緑化困難地に対応でき、透水・保水性のある強固な緑化用パネルや緑化用ポットを用いて景観や生態系を回復させ、自然を復元させる緑化工法を提供する。【解決手段】緑化用パネル２０は、炭酸カルシウムを主成分とする大小の細粒体からなる生成ペレットをエボキシ系合成樹脂で結合させ、上記細粒体間の空隙が連続的になっている成形体からなり、透水性と保水性とを併せ持つ。緑化用パネルは全体形状が板状で、上部には用土の容器部分となる複数の凹部２１が形成され、下部に複数の下凹部２６が形成されている。緑化用パネル２０に、緑化用パネル２０を現場配置前又は現場配置後に植物を植生させる。【選択図】図３
2005126970.tif 000002
【特許請求の範囲】
【請求項１】
炭酸カルシウムを主成分とする大小の細粒体からなる生成ペレットをエボキシ系合成樹脂で結合させ、上記細粒体間の空隙が連続的になっている成形体からなり、透水性と保水性とを併せ持つ緑化用パネル又は緑化用ポット。
【請求項２】
上記成形体の全体形状が板状で、上部には用土の容器部分となる複数の凹部が形成されていることを特徴とする請求項１記載の緑化用パネル。
【請求項３】
下部に複数の下凹部が形成されていることを特徴とする請求項２記載の緑化用パネル。
【請求項４】
上記成形体の全体形状が植木鉢状で、上部には用土の容器部分となる凹部が形成されていることを特徴とする請求項１記載の緑化用ポット。
【請求項５】
上記請求項１乃至請求項４記載のいずれかの緑化用パネル又は緑化用ポットには、現場配置前又は現場配置後に植物を植生させることを特徴とする緑化工法。
【発明の詳細な説明】
【技術分野】
【０００１】
本発明は、緑化困難地における緑化用パネル及び緑化用ポット、並びに、これらを用いた緑化工法に関する。
【背景技術】
【０００２】
毎年のように襲来する台風や冬場の季節風がもたらす波から海岸線を守るため、コンクリート護岸等が設けられているが、機能が重んじられ、自然景観を損ねているばかりではなく、小動物などの生態系に影響を及ぼしている。又、ダムや道路等法面では、毎年台風被害等で法面崩壊が起こっている。法面安定のための自然石積等は景観を損ね、自然遷移を遅らせている。これらの海岸・法面は緑化困難地で、緑化の実例が極めて少なく、手つかずの状況である。
【０００３】
従来技術として、緑化基盤としての桝やポットをセメント系やプラスチック系で製作した場合、固化状態であるため透水性・保水性が劣る。プラスチック系は何らかの負荷が加わると劣化・変形・破損し、衝撃に弱い。又、形状で解決しようとする場合、補助資材を必要とする。そして緑化基盤断面が大きくなる。特に、海岸緑化の場合は、台風や冬場の季節風がもたらす波浪・塩害・風害等の過酷な環境であるため、従来の緑化技術ではクリアできない問題が多く、まだ手つかずの状態である。
【０００４】
このような状況において、海岸緑化を行う場合は、臨岸堤部では、波浪によって緑化用パネルが移動・破損されず、被覆石の移動による加圧に耐えさせる必要があり、また、耐塩性・耐風性のある植物が求められる。特に、砂浜部においては、砂は風で移動しやすく、地形が不安定であり、飛砂が発生しやすく植物の根や茎を損傷させるため、飛砂防止技術が必要になってくる。また、飛砂によって繁殖に関わる重要な部分を損傷することがない植物が求められる。
【０００５】
また、法面緑化の場合には、盛土部分においては、現在、草本類による種子吹付が主流で、降雨による種子流亡のため起こる植生不良や、台風災害による法面崩壊等が多く、切土部分においても上記と同様である。又、岩盤では導入種の衰退や自然遷移がスムーズでない。また、自然植生の中に自然石積法面が出現しているが、美観を損ねると共に岩盤であるため自然植生遷移が遅い。また、この手段は緑化工法が確立されておらず、まだ手つかずの状態である。
【０００６】
また、屋上緑化の場合には、図１０に示すように、従来工法１では、保護コンクリートスラブ２、排水層３、混合土４、及び、芝生５からなる層であると、躯体や保護コンクリートからアルカリ成分が流出し、土のアルカリ化が進み、植物等への影響が大きい。
また、砕石等の排水層に混合土が流れ込み、用水の目減り現象や配水管のつまり現象を引き起こす原因となる。更には、表面潅水で一定方向の水の道ができ、全面への浸透性が悪くなり、省力化のための点滴潅水システムが必要になる。また、排水機能を保つために１０ｃｍ〜１５ｃｍ厚の排水層を設けることによって緑化基盤断面が大きくなる。
【０００７】
また、人工軽量土壌を用いた新工法の構造として、排水・通気層の部材としてプラスチック等による成型物を用いる場合があるが、軽量で防水・防根機能に優れている反面、部材としては吸水性に劣り、そのため潅水システムを導入する必要がでてくる。又、人工軽量土壌は軽量であるため、それを固定する接着剤や部材が必要となる。また、軽量骨材の施工時の飛散や、降雨時には軽量骨材が分離し浮き上がってくるおそれがあり、用土が軽量のため、新たにアングル等の地下支柱の部材が必要となる。
【０００８】
従来、緑化工法用のコンクリートブロック等が記載されているものとして、下記の特許文献が挙げられる。しかし、上記の問題点を解決できる技術とは言い難い。
【特許文献１】特開２０００−３２８５７４号公報
【特許文献２】特開平１０−２２６５８５号公報
【特許文献３】特開平０８−８６９５３号公報
【特許文献４】特開平１１−１５８８９６号公報
【発明の開示】
【発明が解決しようとする課題】
【０００９】
そこで、本発明の課題は、上記従来技術の問題点を解決することにあり、人工海岸(臨海堤等)や法面等の緑化困難地に対応できる、透水・保水性のある強固な緑化用パネルや緑化用ポット、及び、これらパネルやポットを用いて景観や生態系を回復させ、自然を復元させる緑化工法を提供することにある。
【課題を解決するための手段】
【００１０】
本発明は、上記課題を達成するために、下記の手段を講じた。即ち、
請求項１記載の緑化用パネル又は緑化用ポットは、炭酸カルシウムを主成分とする大小の細粒体からなる生成ペレットをエボキシ系合成樹脂で結合させ、上記細粒体間の空隙が連続的になっている成形体からなり、透水性と保水性とを併せ持つことを特徴とする。
請求項２記載の緑化用パネルは、請求項１記載の緑化用パネルにおいて、上記成形体の全体形状が板状で、上部には用土の容器部分となる複数の凹部が形成されていることを特徴とする。
【００１１】
請求項３記載の緑化用パネルは、請求項２記載の緑化用パネルにおいて、下部に複数の下凹部が形成されていることを特徴とする。
請求項４記載の緑化用パネルは、請求項１記載の緑化用パネルにおいて、上記成形体の全体形状が植木鉢状で、上部には用土の容器部分となる凹部が形成されていることを特徴とする。
請求項５記載の緑化工法は、上記請求項１乃至請求項４記載のいずれかの緑化用パネル又は緑化用ポットには、現場配置前又は現場配置後に植物を植生させることを特徴とする。
【発明の効果】
【００１２】
本発明は、上記構成により、上記従来技術の問題点を解決し、上記緑化用パネル２０は、凹凸形状や細粒体の空隙・接着剤の相互作用が、強固で衝撃に強く、多量の空隙に富み、透水・保水性に優れた構造体(パネル)とすることができ、緑化困難地における植物の生育を可能にした。また、緑化用パネルは不溶性で、骨格強度に優れ衝撃に強いため、波浪や土圧等によって変形・破損することがない。そして、植物を育てる上で大切な透水・保水性を同時に兼ね備えて、また、フィルタ材の機能を有し用土の流出がないなどの効果がある。
【発明を実施するための最良の形態】
【００１３】
以下、本発明の最良の実施の形態について説明する。
【実施例１】
【００１４】
（生成用ペレット１０）
本実施例に係る緑化用パネルやポットの生成用ペレット１０（骨材）は、浄水場の産業廃棄物であり、固く、不溶性で大小細粒状体の炭酸カルシウム（ＣａＣＯ3、性質としては固くて重く、水に不溶性である。また、色は白色乃至茶色）を主成分とし、浄水場において硬水を軟水化するためカルシウム硬度を低減させる過程でできる沖縄独特の産業廃棄物でリサイクル骨材（図１．２参照）である。          
なお、上記大小細粒状体の製造方法は、下記の通りである。
沖縄の水はカルシウム硬度が高く、ボイラーやヤカン等に白いもの（石灰）が付着することや、他県と比べ水やコーヒーが美味しくないという水質上の問題がある。この問題を解決する方法としては、原水中の硬度成分Ca(HCO3)2にアルカリ剤（苛性ソーダ）を加えＰＨを８〜９程度に上昇させると、不溶性の炭酸カルシウムが生成されるため軟水化し、良水となる。
Ｃａ（ＨＣｏ3）2 ＋ ＮａＯＨ →  ＣａＣｏ3↓  ＋  ＮａＨＣｏ3＋Ｈ2Ｏ
硬度成分          苛性ソーダ  炭酸カルシウム 炭酸水素ナトリウム  水
（生成ペレット）
硬度を緩和・軽減させる装置「ペレットリアクター＝硬度処理反応塔」は「昌析」と呼ぶ原理を応用したものです。
【００１５】
このリサイクル骨材について、もう少し詳細に説明すると、
沖縄本島北部の浄水場では１日当たり１Ｔｏｎの、また、宮古島では６Ｔｏｎのペレットが生成されているが、現在その処理方法が問題化し、解決策が各方面で検討されている。現状は、野積みされていたり、一部コンクリート骨材として利用されている。
【００１６】
そして、その大小の細粒体を、強度・耐久性に優れたエポキシ系合成樹脂１１で部分結合させ（図２）、細粒体空隙１２が連続的になった構造で、水１３が通過する緑化用パネル２０を構成している。
【００１７】
（緑化用パネル２０）
緑化用パネル２０は、全体の形状として、上部２４は用土容器部分で根の伸長域を広げるために、小さな容器は独立型でなく四方を凹状２１に連結した。又、下部２５は植物の生育に欠かせない透水・保水・吸水機能をもたせるために波状の凹凸状に成形し（緑化用パネル２０Ａの場合）、衝撃に強くなるように、そして地盤と緑化パネル１０との間に空間ができるように多数の突起形とした。
【００１８】
そして、上記緑化用パネル２０は、凹凸形状や細粒体空隙・接着剤の相互作用が、強固で衝撃に強く、多量の１２に富み、透水・保水性に優れた構造体(パネル)となっており、緑化困難地における植物の生育を可能にした。緑化用パネル２０は、例えば、縦２５ｃｍ×横４０ｃｍ×高さ４ｃｍの形状からなり、主成分は炭酸カルシウムである。緑化用パネル２０は不溶性で、骨格強度に優れ衝撃に強いため、波浪や土圧等によって変形・破損することがない。そして、植物を育てる上で大切な透水・保水性を同時に兼ね備えている。フィルタ材の機能を有し用土の流出がない。その形状により、緑化用パネル２０Ａ、緑化用パネル２０Ｂ、緑化用ポット３０とがある。
【００１９】
（各種形状）
緑化用パネル２０の内、緑化用パネル２０Ａは、図３、図４（Ａ）、（Ｂ）、（Ｃ）及び図５に示すように、上面に多数の凹部２１が形成され、その下面には２方向に凹凸条溝となる下凹部２６が形成されている。また、上記凹部２１と凹部２１との間には横方向の凹形縦稜線２２と、縦方向の凹形横稜線２３が形成される。これらの凹部により、各凹部２１間の水の流通が促進される。なお、各部のスケールの一例は図面に示す通りである（単位：ｃｍ。以下同じ。）。
【００２０】
また、緑化用パネル２０の内、緑化用パネル２０Ｂは、図６（Ａ）、（Ｂ）、（Ｃ）（Ｄ）に示すように、上面に２方向に凹凸条溝を形成する凹部２１’が形成され、下面は平坦状の下平面部２５’となっている。また、前記緑化パネル２０と同様に、緑化パネル２０Ｂには、凹部２１’と凹部２１’との間には横方向の凹形縦稜線２２’と、縦方向の凹形横稜線２３’が形成される。
【００２１】
（緑化用パネル２０の成形方法）
次に、生成用ペレット１０から緑化用パネル２０を成形する方法について説明する。成形方法としては、生成ペレット１０にエポキシ系合成樹脂を入れ、攪拌混合を行って合材を得る。また、上部が凹状で下部が凸状の卵入れトレイのような型を所定の厚みと寸法を有する型枠の中に設置する。そして、上記の混練した合材を型枠に流し込む。次に、上部の凹型を成形する為に、規定の寸法を有する凸状の成形物でプレスし、最後に細部を金ゴテ等を使って仕上げる。
【００２２】
（緑化用パネル２０の特性）
上記緑化用パネル２０により、緑化困難地における植物の生育を可能にした。特に、緑化用パネル２０Ａでは、下部凹凸層と地盤(被覆石等)とに多数の空間があるため、将来、土や有機物が自然に堆積し、飛来あるいは流種子によって自然植生への遷移を可能にした。また、コンクリートや被覆石等にモルタル等で固定できるので、経済性・施工能率が良い。
更に、多種にわたる植物(例えば芝生等の地被植物、草花、つる性植物、樹木等)の育苗が可能で、繁殖方法(例えば種子、茎、地下茎、さし木等)が広がる。また、従来ポット苗を利用してきたが、植え穴掘りや緑化完成まで雑草防除等の欠点があったが、緑化用パネル２０で育苗し、マット植物化することで、従来技術の欠点を解決できる。また、軟水化の過程ででる生成ペレットをリサイクルすることで、循環型杜会の形成に大きく寄与する。
【実施例２】
【００２３】
（植物栽培ポットについて）
また、緑化用ポット３０は、例えば、図７（Ａ）（Ｂ）に示す。図７（Ａ）はその緑化用ポットの平面図、図７（Ｂ）はその一側面図（Ｂ）である。緑化用ポット３０は、図７（Ａ）に示すように、平面形状が６角形状で、全体の形状として、図７（Ｂ）に示すように、下方ほど小形となる６角錐台形状の植木鉢形状であり、上部は用土容器部分で根の伸長域を広げる大きく形成される。ペレット１０主成分は炭酸カルシウムであり、不溶性で、植物を育てる上で大切な透水・保水性を同時に兼ね備えている。また、その大きさは、一例として、図面に記載のとおりである（単位：ｃｍ）。
【００２４】
（緑化用ポット３０）
次に、生成用ペレット１０から緑化用ポット３０を成形する方法について説明する。
成形方法としては、所定の規格を有する外周型枠と内径型枠とをセットするとともに、生成ペレットとエポキシ系合成樹脂を所定の配合で攪拌混合し、混練した合材を順次つき固めながら型枠に流し込むことにより行う。
【００２５】
（緑化用ポット３０の特性）
この緑化用ポット３０は、緑化困難地での植物の早期の生育を可能にした。即ち、上部に土や有機物が自然に堆積し、飛来あるいは流種子によって自然植生への遷移を可能にした。特に、切土の自然石積や海岸での被覆石等にモルタル等で固定できるので、経済性・施工能率が良い。
【実施例３】
【００２６】
（屋上緑化）
実施例１の緑化用パネル２０を施工した場合には、その凹部２１は、保水層及び排水層の機能を有し、上面部（上凸部）２４は、排水層及び吸水層の機能を有し、下面部（下凸部２５）は空気層及び貯水槽の機能を有する。
特に、図８に示すように、屋上緑化のために緑化用パネル２０Ａの下部は下凸部２５の形状にしたから、空間部分が通気・空気層の機能を有し、常に空気が流通し植物の根に必要な酸素を供給する。さらに、緑化用パネル２０Ａは多孔を有する構造のために、排水孔の高さを調整することで余剰水が突起部分の毛管現象作用によって根に水分を供給することから、潅水の手間が省略化できる。
【００２７】
また、緑化用パネル２０Ａ下面部には下凸部２５が幾つもある構造のため、耐圧性に富み、その上で作業することにも支障はない。又、土圧によるたわみも問題ない。また、上部は凹部２１で、その部分に軽量多孔骨材(バカス炭等)を投入することによって貯水の役目を果たすと共に余剰水は自然に排水され、保水と排水機能を合わせ持つことで、排水層を厚くする必要がなく、コスト削減できる。
【００２８】
更に、精糖工場の副産物・バガスを炭化させたバガス炭（軽量で吸水性に富み、多孔質）や林業の副産物バーグ堆肥（植物繊維）を主体に、これらのつなぎ材として粘度分・栄養分に富むジャーガル（石灰炭が溶脱し堆積した灰色を呈する重粘度質土壌）を配合し、有機質系人工土壌を製造する。
更に、該人工土壌４０を、図９に示すように、敷きかつ均して中木や高木３５を植栽したい場合、緑化用パネル２０を樹木支柱として施工できる。また、上部にフック等の金具をモルタルで固め、分解性バンド等によって緑化用ポット３０や根元幹を固定することで、緑化用パネル２０が地下支柱部材を兼ねさせることができ経済的である。更に、骨材が重質のためコンクリートと固定する金具等が不要で、単に設置するだけで済み、施工能率が良い。
【００２９】
また、薄層緑化として、芝生等の地被植物の育成に用いるために、緑化用パネル２０の上部の凹部に用土として人工土壌を敷き詰め、植物の生育基盤層をつくる場合には、各凹部２１が連結しあっているため、生育スペースが充分あり、様々な植物(例えば、芝生・リュウノヒゲ・ヒメキランソウ・フラワー等)を薄層基盤の中で育てることができる。
【００３０】
この構成について図８を用いて詳細に説明すると、基盤部３３上に防根シート３２を敷設し、緑化用パネル２０を設置し、その上面に人工土壌４０を載置し、その上で花・芝生３４等を栽培するものである。また、育成基盤で育てた芝生等の完成品をそのまま屋上やベランダ等に設置。施工できるため、簡単に芝生庭園やフラワー畑ができあがる。
【実施例４】
【００３１】
（中高木植栽）
中高木植栽の育成については、図９に示すように、所定範囲の基盤部３３上の左右に緑化用パネル２０Ｂの平板が立設され、一方の緑化用パネル２０Ｂの下部に排水孔２７は形成される。そして、一方の緑化用パネル２０Ｂに沿って注水管６０が設置されると共に、その中の基盤部３３上に防根シート３２が敷き設され、緑化用パネル２０が並置され、人工土壌４０、バカス炭５０、が配置される。
特に、この工法の特徴は、緑化用パネル２０の凹部２１にバカス炭５０やくん灰を敷き均すと、多孔質のため保水性が高まると同時に空気層が形成され、嫌気性バクテリアの繁殖を抑制でき根腐れも防止できるもので、菌根菌等の微生物増殖や土壌水の浄化に役立つ。
【００３２】
なお、図９に示すように、デザイン上、注水管６０は、生成ペレット１０と接着剤にて作製することができる。また、該注水管６０は、乾燥時の潅水用として使用し、底面や土壌内に水分を供給する。また、地下支柱については、バンドは分解性とし、風圧等の環境等が厳しい所では、緑化用パネル２０をモルタルや接着剤で強固に連結してもよい。
（その他）
【００３３】
上記実施例において、盛土法面に施工する場合は、バヒヤグラス、シャリンパイ、トベラ、セントオーガスチン等の植物を育苗した緑化用パネル２０を法面に設置しても良い。また、切土法面に施工する場合は、緑化用パネル２０設置後に客土吹付や、厚層基材吹付を行う併用型の基礎工を行い、早期緑化や早期樹林化を促進しても良い。
【００３４】
また、海岸や臨岸堤には、緑化用パネル２０で、ヤエヤマヒルギ、ミズガンビ  グンバイヒルガオ、イソマツ、クサトベラ、モンパノキ、アダン等の植物を育苗し、モルタル等で固定して早期緑化を図ることもできる。また、砂浜においては緑化用パネル２０を植物育苗後に設置し、砂移動の防止を図ると共に、飛砂防止や早期緑化を図ることができる。この場合、緑化用パネル２０は、被覆石、不織布、捨石等を用いて配置し、モルタル連結すると共に、現場で発生した土を充填すればよい。
また、切土における自然石積では、自然石と自然石との隙間にモルタル等で緑化用ポット３０を固定し、苗木植栽あるいは苗木育苗の緑化用ポット３０として早期樹林化を図ることができる。
【産業上の利用可能性】
【００３５】
本発明は、植物の育成条件が悪い海岸・法面等での利用に最適であるが、通常の育成条件のよい平地等での適用にも好ましいことは言うまでもない。
【図面の簡単な説明】
【００３６】
【図１】本発明に係る実施例１の生成ペレットの斜視図。
【図２】実施例１の緑化用パネルの説明図。
【図３】同緑化用パネルＡの平面図（Ａ）及び部分斜視図（Ｂ）。
【図４】同緑化用パネルＡの平面図（Ａ）、正面図（Ｂ）及び側面図（Ｃ）。
【図５】同緑化用パネルＡの平面形状の説明図。
【図６】同緑化用パネルＢの平面図（Ａ）、正面図（Ｂ）、側面図（Ｃ）及び斜視図（Ｄ）。
【図７】実施例２の緑化用ポット平面図（Ａ）及び一側面図（Ｂ）。
【図８】実施例３（施工例）の説明図。
【図９】実施例４（施工例）の説明図。
【図１０】従来例の説明図。
【符号の説明】
【００３７】
１・・従来工法  ２・・保護コンクリートスラブ  ３・・排水層
４・・混合土  ５・・芝生
１０・・ペレット  １１・・エポキシ系樹脂  １２・・空隙  １３・・水
２０，２０Ａ，２０Ｂ・・緑化用パネル  ２１，２１’・・凹部
２２，２２’・・凹形縦稜線  ２３，２３’・・凹形横稜線
２４・・上面部（上凸部）  ２５・・下面部（下凸部）  ２５’・・下平面部
２６・・下凹部  ２７・・排水孔
３０・・緑化用ポット  ３１・・凹部  ３２・・防根シート  ３３・・基盤部
３４・・花・芝生  ３５・・高木
４０・・人工土壌  ５０・・バカス炭  ６０・・注水管
【図１】
2005126970.tif 000003
【図２】
2005126970.tif 000004
【図３】
2005126970.tif 000005
【図４】
2005126970.tif 000006
【図５】
2005126970.tif 000007
【図６】
2005126970.tif 000008
【図７】
2005126970.tif 000009
【図８】
2005126970.tif 000010
【図９】
2005126970.tif 000011
【図１０】
2005126970.tif 000012
【手続補正書】
【提出日】平成15年10月27日(2003.10.27)
【手続補正１】
【補正対象書類名】図面
【補正対象項目名】図２
【補正方法】変更
【補正の内容】
【図２】
2005126970.tif 000013
【手続補正２】
【補正対象書類名】図面
【補正対象項目名】図４
【補正方法】変更
【補正の内容】
【図４】
2005126970.tif 000014
【手続補正３】
【補正対象書類名】図面
【補正対象項目名】図５
【補正方法】変更
【補正の内容】
【図５】
2005126970.tif 000015
【手続補正４】
【補正対象書類名】図面
【補正対象項目名】図６
【補正方法】変更
【補正の内容】
【図６】
2005126970.tif 000016
【手続補正５】
【補正対象書類名】図面
【補正対象項目名】図７
【補正方法】変更
【補正の内容】
【図７】
2005126970.tif 000017